(57)【特許請求の範囲】
【請求項１】
揮散物を収納し得る上部が開口する容器本体と、この容器本体の開口部に着脱可能に装着されるとともに、容器本体内外を連通する通気孔を有する蓋部材とからなる一対の揮散物収納体を、各々の蓋部材が互いに密着した状態で相対的に回動可能に連結し、回動角度に応じて前記通気孔の開口面積が変化するように構成したことを特徴とする揮散容器。
【請求項２】
前記一対の揮散物収納体を回動可能に連結した状態で前記各蓋部材の一部を前記各容器本体から着脱自在とした請求項１記載の揮散容器。
【請求項３】
前記一対の揮散物収納体を連結手段を介して回動可能に連結した請求項１又は２記載の揮散容器。
【請求項４】
前記連結手段は、前記一方の揮散物収納体に設けた凹部と、前記他方の揮散物収納体に設けた凸部とからなり、これら凹部と凸部を相互に係合させることにより、前記一対の揮散物収納体を相対的に回動可能に連結した請求項３記載の揮散容器。
【請求項５】
前記連結手段は、前記一対の揮散物収納体を挿通するボルトと、このボルトに螺合するナットとからなる請求項３記載の揮散容器。
【請求項６】
前記一方の揮散物収納体に噛合部材を設けるとともに、この噛合部材と噛合し得る被噛合部材を前記他方の揮散物収納体に設け、これらを相互に噛合させることにより、前記一対の揮散物収納体を所定の回動位置に保持可能とした請求項１から５の何れかに記載の揮散容器。
【請求項７】
前記噛合部材は前記凹部の周囲に設けられる大ギア部からなるとともに、前記被噛合部材は前記凸部の周囲に設けられる小ギア部からなり、これらを相互に噛合させることにより、前記一対の揮散物収納体を所定の回動位置に保持可能とした請求項６記載の揮散容器。
【請求項８】
揮散物を収納し得る上部が開口する容器本体と、この容器本体の開口部に着脱可能に装着されるとともに、容器本体内外を連通する通気孔を有する蓋部材とからなる一対の揮散物収納体間に、上下面が開口する容器本体と、この容器本体の開口部に着脱可能に装着されるとともに、容器本体内外を連通する通気孔を有する蓋部材とからなる少なくとも１つの揮散物収納体を設け、これらの揮散物収納体を隣接する蓋部材が互いに密着した状態で相対的に回動可能に連結し、回動角度に応じて前記通気孔の開口面積が変化するように構成したことを特徴とする揮散容器。
【発明の詳細な説明】
【０００１】
【産業上の利用分野】
この発明は揮散容器に関し、特に、芳香剤、防虫剤等の固形状の揮散物を揮散させるのに有効な揮散容器に関するものである。
【０００２】
【従来技術およびその問題点】
一般に、芳香剤や防虫剤等の固形状の揮散物を揮散させるために用いられる揮散容器にあっては、容器の内部に収納した揮散物を容器に設けた通気孔を介して空気と接触させて揮散させ、揮散物の香りを空気中に漂わせることで室内の悪臭等を消失させるようになっている。
【０００３】
しかしながら、通気孔は、デザイン処理上の問題等から容器の限られた部分にしか設けることができないとともに、開口面積の調節ができないために揮散物の揮散量の調節ができず、悪臭等の強さに応じた適度な香りを空気中に漂わせることができない。そのため、悪臭等を完全に消失させることができなかったり、香りが強すぎたりする等の不具合が生じる。
【０００４】
一方、実開昭６１−１１５５４７号公報には、芳香剤の揮散量の調節を可能にした芳香剤容器が開示されている。この芳香剤容器は、芳香剤を収容する容器本体に連結部を設け、連結部の上面又は下面のいずれか一方に突起を形成し、この突起が嵌合する穴をいずれか他方に形成し、これら突起と穴を他の芳香剤容器にも形成し、このように突起と穴を形成した複数の芳香剤容器を積み重ね、各々の芳香剤容器を水平方向に旋回可能としたものである。
【０００５】
このような芳香剤容器にあっては、各々の芳香剤容器を水平方向に旋回させることで各々の芳香剤容器に収納されている芳香剤の香りを空気中に漂わせることができるとともに、各々の芳香剤容器の旋回角度を調節することによって芳香剤の揮散量の調節が可能となるものである。
【０００６】
しかしながら、各々の芳香剤容器は上面側が開口するようになっているために設置方向が限定されてしまい、押入れや箪笥等の限られた空間に傾斜した状態等で設置することができず、汎用性のないものとなってしまう。
【０００７】
この発明は前記のように従来のもののもつ問題点を解決したものであって、揮散物の揮散量の調節が簡単にできるとともに、設置方向が限定されることがなく汎用性の高い揮散容器を提供することを目的とするものである。
【０００８】
【問題点を解決するための手段】
上記の問題点を解決するために、本発明の請求項１に係る揮散容器は、揮散物を収納し得る上部が開口する容器本体と、この容器本体の開口部に着脱可能に装着されるとともに、容器本体内外を連通する通気孔を有する蓋部材とからなる一対の揮散物収納体を、各々の蓋部材が互いに密着した状態で相対的に回動可能に連結し、回動角度に応じて前記通気孔の開口面積が変化するように構成した手段を採用している。
また、本発明の請求項２に係る揮散容器は、請求項１記載の揮散容器であって、前記一対の揮散物収納体を回動可能に連結した状態で前記各蓋部材の一部を前記各容器本体から着脱自在とした手段を採用している。
さらに、本発明の請求項３に係る揮散容器は、請求項１又は２記載の揮散容器であって、前記一対の揮散物収納体を連結手段を介して回動可能に連結した手段を採用している。
さらに、本発明の請求項４に係る揮散容器は、請求項３記載の揮散容器であって、前記連結手段は、前記一方の揮散物収納体に設けた凹部と、前記他方の揮散物収納体に設けた凸部とからなり、これら凹部と凸部を相互に係合させることにより、前記一対の揮散物収納体を相対的に回動可能に連結した手段を採用している。
さらに、本発明の請求項５に係る揮散容器は、請求項３記載の揮散容器であって、前記連結手段は、前記一対の揮散物収納体を挿通するボルトと、このボルトに螺合するナットとからなる手段を採用している。
さらに、本発明の請求項６に係る揮散容器は、請求項１から５の何れかに記載の揮散容器であって、前記一方の揮散物収納体に噛合部材を設けるとともに、この噛合部材と噛合し得る被噛合部材を前記他方の揮散物収納体に設け、これらを相互に噛合させることにより、前記一対の揮散物収納体を所定の回動位置に保持可能とした手段を採用している。
さらに、本発明の請求項７に係る揮散容器は、請求項６記載の揮散容器であって、前記噛合部材は前記凹部の周囲に設けられる大ギア部からなるとともに、前記被噛合部材は前記凸部の周囲に設けられる小ギア部からなり、これらを相互に噛合させることにより、前記一対の揮散物収納体を所定の回動位置に保持可能とした手段を採用している。
そして、本発明の請求項８に係る揮散容器は、揮散物を収納し得る上部が開口する容器本体と、この容器本体の開口部に着脱可能に装着されるとともに、容器本体内外を連通する通気孔を有する蓋部材とからなる一対の揮散物収納体間に、上下面が開口する容器本体と、この容器本体の開口部に着脱可能に装着されるとともに、容器本体内外を連通する通気孔を有する蓋部材とからなる少なくとも１つの揮散物収納体を設け、これらの揮散物収納体を隣接する蓋部材が互いに密着した状態で相対的に回動可能に連結し、回動角度に応じて前記通気孔の開口面積が変化するように構成した手段を採用している。
【０００９】
【作用】
この発明は前記のような手段を採用したことにより、一対の揮散物収納体の各々の容器本体に揮散物を収納し、一方の揮散物収納体を他方の揮散物収納体に対して相対的に回動させると、各々の蓋部材の通気孔を介して揮散物が空気と接触して揮散し、揮散物の香りが空気中に漂うことになる。この場合、一方の揮散物収納体の他方の揮散物収納体に対する相対的な回動角度を調節することによって、そのときの回動角度に応じた通気孔の開口面積が得られ、通気孔の開口している部分を介して揮散物が空気と接触して揮散し、揮散物の香りが空気中に漂うことになる。
【００１０】
そして、一方の揮散物収納体に凹部を設けるとともに、他方の揮散物収納体に凸部を設けてそれらを相互に係合させ、または一対の揮散物収納体に挿通したボルトにナットを螺合させることにより、一対の揮散物収納体が回動可能に連結されるものである。
【００１１】
さらに、一方の揮散物収納体に設けた噛合部材と、他方の揮散物収納体に設けた被噛合部材を相互に噛合させることにより、一対の揮散物収納体の回動角度の調節が可能となるとともに、所定の回動位置に保持可能となるので、回動角度に応じた揮散物の揮散量が確実に得られるものである。この場合、噛合部材として大ギア部、被噛合部材として小ギア部を用い、両者を相互に噛合させれば両揮散物収納体の回動位置における保持力が更に高まるので、所望の揮散量が確実に得られるものである。
【００１２】
さらに、一対の揮散物収納体間に、上下面に通気孔を有する少なくとも１つの揮散物収納体を設けることによって、揮散物の揮散量をさらに増やすことができるので、悪臭等の強い箇所には有効となるものである。
【００１３】
【実施例】
以下、図面に示すこの発明の実施例について説明する。
図１〜図１５には、この発明による揮散容器の一実施例が示されていて、この実施例に示す揮散容器は、一対の揮散物収納体１、２０を互いに回動可能に連結したものであって、回動角度に応じた芳香剤や防虫剤等の揮散物４０、４０の揮散量が得られるように構成したものである。
【００１４】
前記一方の揮散物収納体１は、上部が開口するリーフ形状の樹脂製の容器本体２と、この容器本体２の開口部に着脱自在に装着されるリーフ形状の樹脂製の蓋部材１０とから構成されている（図４〜図９参照）。
【００１５】
前記容器本体２は、リーフ形状をなす平板状の本体部３と、この本体部３の周縁部に全周に渡って一体に設けられる環状の囲い部４とからなるものであって、本体部３の上面に芳香剤や防虫剤等の固形状の揮散物４０が載置されるようになっている。
【００１６】
前記本体部３の図中左端部には、連結手段５の一方の構成部材である筒状の凹部６が一体に設けられ、この凹部６の内周面には断面半円形状で環状をなす突起６ａが一体に設けられ、この突起６ａは後述する連結手段５の他方の構成部材である筒状の凸部２６の外周面の溝２６ａに嵌合するようになっている。
【００１７】
前記凹部６の外周面の下半分には、全周に渡って山部７ａ、谷部７ｂが交互に一体に設けられ、これらの山部７ａ、谷部７ｂによって噛合部材である大ギア部７が構成されるとともに、この大ギア部７の各谷部７ｂに後述する被噛合部材である小ギア部２７、２７の突部２７ｂ、２７ｂが噛合するようになっている。
【００１８】
前記大ギア部７の前記凹部６の中心を中心として対向する部位には一対の板状のストッパ部８、８が一体に設けられ、このストッパ部８、８に後述する被噛合部材である小ギア部２７の本体部２７ａが当接することで一対の揮散物収納体１、２０の回動範囲が制限されるものである。
【００１９】
前記容器本体２の本体部３には一対の筒状の位置決め用の穴９、９が一体に設けられ、この位置決め用の穴９、９に後述する蓋部材１０の位置決め用のピン１６、１６を嵌合させることで、蓋部材１０が容器本体２の所定の位置に位置決めされるものである。
【００２０】
前記蓋部材１０は、リーフ形状をなす平板状の本体部１１と、この本体部１１の周縁部に全周に渡って一体に設けられる環状の囲い部１２とからなるものであって、この囲い部１２の外周面を前記容器本体２の囲い部４の内周面に嵌合させることで、蓋部材１０が容器本体２の開口部に装着されるものである。
【００２１】
前記蓋部材１０の前記容器本体２の凹部６に対応する部位には、容器本体２の凹部６を挿通させるための孔１３が穿設されるとともに、この孔１３の近傍の前記囲い部１２が設けられている側の面にはＶ字状の溝１４が全幅に渡って穿設され、この溝１４を境にして蓋部材１０の図中右側の部分又は左側の部分のみを容器本体２から外すことが可能となるものである。
【００２２】
前記蓋部材１０の溝１４の図中右側の部分にはリーフの芯状をなす通気孔１５が穿設され、蓋部材１０を前記容器本体２の開口部に装着した際、前記通気孔１５を介して容器本体２の内外が相互に連通するものである。
【００２３】
前記蓋部材１０の前記容器本体２の位置決め用の穴９、９に対応する部分には一対の位置決め用のピン１６、１６が一体に設けられ、このピン１６、１６を前記容器本体２の位置決め用の穴９、９に嵌合することで蓋部材１０が前記容器本体２の所定の位置に位置決めされるものである。なお、前記蓋部材１０を透明体又は半透明体とすることによって、外から揮散物４０の減り具合を把握することが可能となるものである。
【００２４】
前記他方の揮散物収納体２０は、前記一方の揮散物収納体１と同様に、上部が開口するリーフ形状の樹脂製の容器本体２２と、この容器本体２２の開口部に着脱自在に装着されるリーフ形状の樹脂製の蓋部材３０とから構成されている（図１０〜図１５参照）。
【００２５】
前記容器本体２２は、リーフ形状をなす平板状の本体部２３と、この本体部２３の周縁部に全周に渡って一体に設けられる環状の囲い部２４とからなるものであって、本体部２３の図中左端部（前記一方の容器本体２の凹部６に対応する部分）には連結手段５の他方の構成部材である筒状の凸部２６が一体に設けられるとともに、この凸部２６の外周面には断面Ｖ字状をなす溝２６ａが全周に渡って穿設され、この溝２６ａに前記一方の容器本体２の凹部６内周面の突起６ａが嵌合するようになっている。
【００２６】
前記凸部２６の周囲の凸部２６の中心を中心として対向する部位には、一対の被噛合部材である小ギア部２７、２７が一体に設けられている。小ギア部２７、２７は、棒状をなす本体部２７ａ、２７ａと、この本体部２７ａ、２７ａの前記凸部２６との対向面に一体に設けられる断面半円形状の棒状の突部２７ｂ、２７ｂとからなり、この突部２７ｂ、２７ｂを前記一方の容器本体２の大ギア部７の谷部７ｂに噛合させるようになっている。
【００２７】
前記一対の小ギア部２７、２７の各本体部２７ａ、２７ａは、前記一方の容器本体２の一対のストッパ部８、８に各々当接するようになっていて、この小ギア部２７、２７の各本体部２７ａ、２７ａが前記一対のストッパ部８、８に当接することで一対の揮散物収納体１、２０の回動範囲が制限されるものである。
なお、この実施例においては、一方の揮散物収納体１を他方の揮散物収納体２０に対して０〜９０度の範囲内で回動可能としたが、これに限定することなく、他の回動範囲としてもよいものであり、用途に応じて回動範囲を設定すればよいものである。
【００２８】
前記容器本体２２の本体部２３には一対の筒状の位置決め用の穴２９、２９が一体に設けられ、この位置決め用の穴２９、２９に後述する蓋部材３０の位置決め用のピン３６、３６を嵌合させることで、蓋部材３０が容器本体２２の所定の位置に位置決めされるものである。
【００２９】
前記蓋部材３０は、リーフ形状をなす平板状の本体部３１と、この本体部３１の周縁部に全周に渡って一体に設けられる環状の囲い部３２とからなるものであって、この囲い部３２の外周面を前記容器本体２２の囲い部２４の内周面に嵌合させることで、蓋部材３０が容器本体２２の開口部に装着されるものである。
【００３０】
前記蓋部材３０の前記容器本体２２の凸部２６に対応する部位には、容器本体２２の凸部２６を挿通させるための孔３３が穿設されるとともに、この孔３３の近傍の前記囲い部３２が設けられている側の面にはＶ字状の溝３４が全幅に渡って穿設され、この溝３４を境にして蓋部材３０の図中右側の部分又は左側の部分のみを容器本体２２から外すことが可能となるものである。
【００３１】
前記蓋部材３０の溝３４の図中右側の部分にはリーフの芯の形状をなす通気孔３５が穿設され、蓋部材３０を前記容器本体２２の開口部に装着した際、前記通気孔３５を介して容器本体２２の内外が相互に連通するものである。
【００３２】
前記蓋部材３０の前記容器本体２２の位置決め用の穴２９、２９に対応する部分には、一対の位置決め用のピン３６、３６が一体に設けられ、この位置決め用のピン３６、３６を前記容器本体２２の位置決め用の穴２９、２９に嵌合することで蓋部材３０が前記容器本体２２の所定の位置に装着されるものである。なお、前記蓋部材３０を透明体又は半透明体とすることによって、外から揮散物４０の減り具合を把握することが可能となるものである。
【００３３】
そして、上記のように構成した一対の揮散物収納体１、２０を一体に組み立てるには、まず、一方の揮散物収納体１の容器本体２の本体部３上面に芳香剤や防虫剤等の揮散物４０を載置するとともに、容器本体２の開口部に蓋部材１０を位置して、蓋部材１０の囲い部１２外周面を容器本体２の囲い部４内周面に嵌合し、蓋部材１０の位置決め用のピン１６、１６を容器本体２の位置決め用の穴９、９内に嵌合し、蓋部材１０を容器本体２の開口部に装着する（図４および図５参照）。
【００３４】
次に、他方の揮散物収納体２０の容器本体２２の本体部２３上面に芳香剤や防虫剤等の揮散物４０を載置するとともに、容器本体２２の開口部に蓋部材３０を位置して、蓋部材３０の囲い部３２外周面を容器本体２２の囲い部２４内周面に嵌合し、蓋部材３０の位置決め用のピン３６、３６を容器本体２２の位置決め用の穴２９、３９内に嵌合し、蓋部材３０を容器本体２２の開口部に装着する（図１０および図１１参照）。
【００３５】
この状態で一方の揮散物収納体１と他方の揮散物収納体２０の蓋部材１０、３０を互いに密着させるとともに、一方の容器本体２の凹部６に他方の容器本体２２の凸部２６を挿入し、凸部２６外周面の溝２６ａに凹部６内周面の突起６ａを嵌合させ、一方の容器本体２の大ギア部７の谷部７ｂに他方の容器本体２２の小ギア部２７、２７の突部２７ｂ、２７ｂを噛合させることで両揮散物収納体１、２０が回動可能に連結されるものである。
【００３６】
次に、前記に示すものの作用について説明する。
上記のように組み立てた一対の揮散物収納体１、２０からなる揮散容器を悪臭等を消失させようとする箇所に設置し、一方の揮散物収納体１を他方の揮散物収納体２０に対して相対的に回動させると、各々の蓋部材１０、３０の通気孔１５、３５が開口し、各々の容器本体２、２２に収納されている揮散物４０、４０が通気孔１５、３５の開口している部分を介して空気と接触して揮散し、揮散物４０、４０の香りが空気中に漂って悪臭等が消失されるものである。
【００３７】
この場合、一方の揮散物収納体１は、他方の容器本体２２に設けた小ギア部２７、２７の本体部２７ａ、２７ａが一方の容器本体２に設けたストッパ部８、８に当接する範囲内（０〜９０度の範囲内）で、他方の揮散物収納体２０に対して相対的に回動可能となっているので、一方の揮散物収納体１の他方の揮散物収納体２０に対する相対的な回動角度を調節することにより、各々の通気孔１５、３５の開口面積を変化させることができることになる。
【００３８】
したがって、回動角度に応じた通気孔１５、３５の開口面積、すなわち揮散物の揮散量が得られることになるので、悪臭等の強さに応じて揮散物の揮散量を調節することにより、揮散物の香りが強すぎたり弱すぎたりするような不具合が生じることはなく、悪臭等を確実に消失させることができることになる。
【００３９】
また、一対の揮散物収納体１、２０の各々の蓋部材１０、３０に各々通気孔１５、３５を設けたことにより、１つの揮散物収納体によって揮散容器を構成した場合に比べて、揮散物の揮散量を大幅に増やすことができることになり、揮散物の揮散量の調節幅を大きくすることができることになる。
【００４０】
さらに、一方の容器本体２の大ギア部７に他方の容器本体２２の小ギア部２７、２７を噛合させるようにしたことにより、一対の揮散物収納体１を他方の揮散物収納体２０に対して相対的に回動した際、大ギア部７と小ギア部２７、２７との協働により一対の揮散物収納体１はその回動位置に保持されることになるので、回動角度に応じた揮散物４０、４０の揮散量が確実に得られるものである。
【００４１】
さらに、各々の容器本体２、２２の開口部にはそれぞれ蓋部材１０、３０が装着されているので、水平方向に設置しなくても縦置き、横置き、斜め置き等であっても揮散物４０、４０が容器本体２、２２から脱落するようなことはなく、押入れや箪笥等の限られた空間にも容易に設置することができ、汎用性を高めることができることになる。
【００４２】
そして、各々の蓋部材１０、３０に溝１４、３４を設けて、溝１４、３４を境にして各々の蓋部材１０、３０の右側の部分又は左側の部分を容器本体２、２２から外せるようにしたので、揮散物４０、４０を詰め換えるには、一方の揮散物収納体１を他方の揮散物収納体２０に対して所定量（全開状態が好ましい）回動させ、各々の蓋部材１０、３０の溝１４、３４の右側の部分を溝１４、３４を境にして容器本体２、２２から外せば足りることになり、揮散物４０、４０の詰め換え作業が容易となる。
【００４３】
なお、前記の説明では一方の容器本体に設けた凹部に他方の容器本体に設けた凸部を挿入することで、一対の揮散物収納体を回動可能に連結したが、これに限定することなく、ボルトとナットとを用いて一対の揮散物収納体を可動可能に連結してもよいものである。
【００４４】
また、前記の説明では、一対の揮散物収納体を回動可能に連結したが、一対の揮散物収納体間に１つ又はそれ以上の揮散物収納体を位置し、この揮散物収納体も回動可能としてもよいものである。この揮散物収納体を上下面が開口する容器本体と、容器本体の開口部に着脱自在に装着される蓋部材とで構成し、各蓋部材に通気孔を設けることによって、さらに揮散量を増やすことができるものである。
【００４５】
さらに、前記の説明においては、容器本体および蓋部材をリーフ形状とするとともに、蓋部材にリーフの芯状の通気孔を穿設したが、これに限定することなく他の形状（ハート形状等）の容器本体および蓋部材であってもよく、他の形状（格子状等）の通気孔であってもよいものである。
【００４６】
さらに、前記の説明においては、一対の揮散物収納体を相対的に回動可能に連結したが、一対の揮散物収納体を直線的にスライド可能に連結して、通気孔の開口面積を変化させるようにしてもよいものである。この場合、２次元的なスライドでなく、３次元的なスライドであってもよいものである。
【００４７】
【発明の効果】
この発明は、揮散物を収納し得る上部が開口する容器本体と、この容器本体の開口部に着脱可能に装着されるとともに、容器本体内外を連通する通気孔を有する蓋部材とからなる一対の揮散物収納体を、各々の蓋部材が互いに密着した状態で相対的に回動可能に連結し、回動角度に応じて前記通気孔の開口面積が変化するように構成したことにより、一方の揮散物収納体を他方の揮散物収納体に対して相対的に回動させると、そのときの回動角度に応じた値に各々の通気孔の開口面積が設定され、通気孔の開口している部分を介して各容器本体内の揮散物が空気と接触して揮散し、揮散物の香りが空気中に漂い、悪臭等が消失されることになる。
この場合、一方の揮散物収納体の他方の揮散物収納体に対する相対的な回動角度を悪臭等の強さに応じて調節することにより、適量の揮散物の香りを空気中に漂わせることができるので、悪臭等を消失させることができなかったり、揮散物の香りが強すぎたりするような不具合がなくなる。
また、各々の容器本体の開口部には蓋部材が装着されているので、設置方向が水平方向に限定されることはなく、横置き、縦置き、斜め置き等としても揮散物が容器本体から脱落するようなことはなく、押入れや箪笥等の限られた空間にも容易に設置することができ、汎用性を高めることができることになる。
さらに、一対の揮散物収納体を連結した状態で各蓋部材の一部を容器本体から着脱可能としたことにより、揮散物を詰め換える際に各揮散物収納体を完全に分解する必要はなく、各蓋部材の一部を容器本体から外せば足りることになるので、揮散物の詰め換えが容易となる。
また、一対の揮散物収納体は、一方の揮散物収納体に設けた凹部と、他方の揮散物収納体に設けた凸部とを相互に係合させることにより、あるいは一対の揮散物収納体を挿通したボルトにナットを螺合することにより、回動可能に連結されることになるので、全体の構成を複雑にすることなく、簡単な機構で揮散物の揮散量の調節が可能となり、安価なものを提供することができることになる。
さらに、一方の揮散物収納体に噛合部材を設けるとともに、この噛合部材と噛合し得る被噛合部材を前記他方の揮散物収納体に設け、これらを相互に噛合させることにより、一対の揮散物収納体を所定の回動位置に確実に保持することができるので、横置き、縦置き、斜め置き等としても通気孔の開口面積が変化するようなことはなく、所望の揮散物の揮散量が確実に得られることになる。この場合、噛合部材を、凹部の周囲に設けられる大ギア部と、凸部の周囲に設けられる小ギア部とで構成し、これらを相互に噛合させることにより更に保持力が高まるので、確実に所望の揮散量が得られるものである。
そして、一対の揮散物収納体間に、上下面が開口する容器本体と、この容器本体の開口部に着脱可能に装着されるとともに、容器本体内外を連通する通気孔を有する蓋部材とからなる少なくとも１つの揮散物収納体を設けることにより、更に揮散物の揮散量を増やすことができるものである等の優れた効果を奏するものである。
【図面の簡単な説明】
【図１】この発明による揮散容器の全体を示した平面図である。
【図２】図１に示すもののＡ−Ａ線断面図である。
【図３】図１に示すものの回動状態を示した平面図である。
【図４】図１に示すものの一方の揮散物収納体の平面図である。
【図５】図４に示すもののＢ−Ｂ線断面図である。
【図６】図４に示すものの容器本体の平面図である。
【図７】図６に示すもののＣ−Ｃ線断面図である。
【図８】図４に示すものの蓋部材の平面図である。
【図９】図８に示すもののＤ−Ｄ線断面図である。
【図１０】図１に示すものの他方の揮散物収納体の平面図である。
【図１１】図１０に示すもののＥ−Ｅ線断面図である。
【図１２】図１０に示すものの容器本体の平面図である。
【図１３】図１２に示すもののＦ−Ｆ線断面図である。
【図１４】図１０に示すものの蓋部材の平面図である。
【図１５】図１４に示すもののＧ−Ｇ線断面図である。
【符号の説明】
１、２０……揮散物収納体
２、２２……容器本体
３、１１、２３、２７ａ、３１……本体部
４、１２、２４、３２……囲い部
５……連結手段
６……凹部
６ａ……突起
７……噛合部材（大ギア部）
７ａ……山部
７ｂ……谷部
８……ストッパ部
９、２９……位置決め用の穴
１０、３０……蓋部材
１３、３３……孔
１４、２６ａ、３４……溝
１５、３５……通気孔
１６、３６……位置決め用のピン
２６……凸部
２７……被噛合部材（小ギア部）
２７ｂ……突部
４０……揮散物
【図１】
0003616149.tif 000002
【図２】
0003616149.tif 000003
【図３】
0003616149.tif 000004
【図４】
0003616149.tif 000005
【図５】
0003616149.tif 000006
【図６】
0003616149.tif 000007
【図７】
0003616149.tif 000008
【図８】
0003616149.tif 000009
【図９】
0003616149.tif 000010
【図１０】
0003616149.tif 000011
【図１１】
0003616149.tif 000012
【図１２】
0003616149.tif 000013
【図１３】
0003616149.tif 000014
【図１４】
0003616149.tif 000015
【図１５】
0003616149.tif 000016